(57)【要約】【課題】立った姿勢で車輪止めを設置又は取り外しでき、車輪止めを容易に設置又は取り外しできる車輪の歯止め装置を提供する。【解決手段】歯止め装置１０は、第１歯止め装置１と第２歯止め装置２を備える。第１歯止め装置１は、車輪止め１１と第１アーム１２を備える。第１アーム１２は、基端部が車輪止め１１に固定され、車体９の外壁に着脱する磁性体１３ａを有する係止部１３を先端部に設ける。第２歯止め装置２は、車輪止め２１と第２アーム２２を備える。第２アーム２２は、基端部が車輪止め２１に固定され、係止部１３から突出した取手部１３ｂに繋留される円環体２３を先端部に設ける。歯止め装置１０は、立った姿勢で車輪止めを設置又は取り外しできるので便利である。【選択図】図１
2010052658.tif 000002
【特許請求の範囲】
【請求項１】
車体に設けられた車輪を歯止めする車輪の歯止め装置であって、
前記車輪の外周に当接する傾斜面を両翼に設ける台形体状の車輪止めと、
基端部は前記車輪止めの側面に固定され、先端部は当該車輪の上方に位置する前記車体の外壁に係止する係止部を設け、中間部は弾性変形可能な長尺の棒状に形成される第１アームと、を備え、
前記係止部は、前記車体の外壁に着脱する磁性体を有する車輪の歯止め装置。
【請求項２】
前記係止部は、前記磁性体と相反する向きに劣弧状に突出して把持可能な取手部を有する請求項１記載の車輪の歯止め装置。
【請求項３】
前記第１アームの中間部は、前記車体に当接して容易に損傷しないように外面が柔軟に形成されている請求項１又は２記載の車輪の歯止め装置。
【発明の詳細な説明】
【技術分野】
【０００１】
本発明は、車体に設けられた車輪を車輪止めで歯止めする車輪の歯止め装置に関する。特に、車輪止めを容易に設置又は取り外し可能な車輪の歯止め装置の構造に関する。
【背景技術】
【０００２】
一般に、車両を所定時間、停車するときには、車輪に車輪止めを当接して歯止めすることにより、意図しない車両の移動を防止できる。特に、勾配のある場所で車両を駐車するときには、車輪止めを使用すると、意図しない車両の移動を防止できる。例えば、発電所や化学工場などでは、その敷地内に車両を所定時間、停車するときには、たとえ、平坦地であっても、車輪止めを使用することが安全上、義務付けられている。
【０００３】
一般に、車輪止めは、運転者又は誘導者が出発する前に、安全を確認して取り外されている（例えば、特許文献１参照）。
【０００４】
図４は、従来の車輪止めの装着状態を示す斜視図である。本願の図４は、特許文献１の図５に相当している。図４において、図示しない車体に設けられた車輪１０１は、踏面部１０１ａと踏面部１０１ａに連設するフランジ部１０１ｂを設けている。車輪止め１０２は、踏面部１０１ａに当接する傾斜面１０２ａと把手部１０２ｂを有している。図４において、車輪止め１０２が設置されることにより、意図しない車両の移動を防止できる。車輪止め１０２が取り外されることにより、車両を出発できる。
【特許文献１】特開２００５−１９９７３１号公報
【発明の開示】
【発明が解決しようとする課題】
【０００５】
特許文献１に示された車輪止めは、鉄道用車両に用いられたものを示しているが、自動車に用いられる車輪止めも同様の構造であり、車輪に当接されて乗り越え困難な傾斜面を設けている。
【０００６】
しかし、特許文献１に示されたような車輪止めは、車輪に設置又は取り外しするために、作業者が前屈姿勢を余儀なくされるという問題がある。降雨などの悪天候のときの野外での設置作業又は取り外し作業においては、ぬかるんだ地面で手が汚れることある。立った姿勢で車輪止めを設置又は取り外しできる車輪の歯止め装置が実現できれば、便利である。
【０００７】
更に、降雨などの悪天候のときの野外での設置作業又は取り外し作業において、前屈姿勢を持続することは苦難であるという問題がある。すばやく車輪止めを設置又は取り外しできる車輪の歯止め装置が実現できれば、便利である。そして、以上のことが本発明の課題といってよい。
【０００８】
本発明は、このような問題に鑑みてなされたものであり、立った姿勢で車輪止めを設置又は取り外しでき、車輪止めを容易に設置又は取り外しできる車輪の歯止め装置を提供することを目的とする。
【課題を解決するための手段】
【０００９】
発明者は、車輪止めから延在するアームを設け、このアームの先端部が車体に着脱することにより、上記の課題が解決可能なことを見出し、これに基いて、以下のような新たな車輪の歯止め装置を発明するに至った。
【００１０】
（１）  車体に設けられた車輪を歯止めする車輪の歯止め装置であって、前記車輪の外周に当接する傾斜面を両翼に設ける台形体状の車輪止めと、基端部は前記車輪止めの側面に固定され、先端部は当該車輪の上方に位置する前記車体の外壁に係止する係止部を設け、中間部は弾性変形可能な長尺の棒状に形成される第１アームと、を備え、前記係止部は、前記車体の外壁に着脱する磁性体を有する車輪の歯止め装置。
【００１１】
（１）の発明による記載の車輪の歯止め装置は、車体に設けられた車輪を歯止めする。そして、台形体状の車輪止めと第１アームを備えている。車輪止めは、車輪の外周に当接する傾斜面を両翼に設けている。第１アームは、基端部が車輪止めの側面に固定されている。又、第１アームは、先端部が車輪の上方に位置する車体の外壁に係止する係止部を設けている。更に、第１アームは、中間部が弾性変形可能な長尺の棒状に形成されている。係止部は、車体の外壁に着脱する磁性体を有している。
【００１２】
（１）の発明による記載の車輪の歯止め装置は、弾性変形可能な第１アームの基端部が車輪止めに固定され、この第１アームの先端部が磁性体を有する係止部を設けている。そして、車輪止めと第１アームが一体で構成されている。したがって、車輪止めが着地するように、係止部を車輪の上方に位置する車体の外壁に係止した後に、車輪止めを例えば足で移動して、車輪止めを車輪に設置できる。第１アームが弾性変形容易であるからである。一方、係止部又は第１アームの先端部側を把持して、外方に引けば、車輪止めを車輪から取り外すことができる。
【００１３】
（１）の発明による車輪の歯止め装置は、立った姿勢で車輪止めを設置又は取り外しできるという利点がある。又、（１）の発明による記載の車輪の歯止め装置は、降雨などの悪天候のときの野外での設置作業又は取り外し作業において、すばやく車輪止めを設置又は取り外しできるという利点がある。
【００１４】
（２）  前記係止部は、前記磁性体と相反する向きに劣弧状に突出して把持可能な取手部を有する（１）記載の車輪の歯止め装置。
【００１５】
（２）の発明による車輪の歯止め装置は、係止部が磁性体と相反する向きに劣弧状に突出して把持可能な取手部を有しているので、車体の外壁への着脱が容易である。特に、車体の外壁からの離脱が容易である。
【００１６】
（３）  前記第１アームの中間部は、前記車体に当接して容易に損傷しないように外面が柔軟に形成されている（１）又は（２）記載の車輪の歯止め装置。
【００１７】
（３）の発明による車輪の歯止め装置は、第１アームが柔軟な合成樹脂で成形されてよく、第１アームの外面に柔軟な合成樹脂チューブが被覆されてよく、第１アームの外面に柔軟な合成樹脂テープが被覆されてよく、第１アームが車体に当接して容易に損傷しない利点がある。
【００１８】
（４）  前記第１アームの中間部は、当該車輪を覆うフェンダーに当接しないように所定の曲率で湾曲している（１）から（３）のいずれかに記載の車輪の歯止め装置。
【００１９】
（４）の発明による車輪の歯止め装置は、第１アームの中間部が車輪を覆うフェンダー（泥除け）に当接しないように所定の曲率で湾曲しているので、第１アームの中間部がフェンダーに接触することなく迂回して、車輪の近傍に車輪止めを設置できる。すばやく、車輪止めを車輪に設置することも可能である。
【００２０】
（５）  前記車輪止めと、基端部は前記車輪止めの側面に固定され、先端部は前記取手部に繋留される円環体を設け、中間部は弾性変形可能な長尺の棒状に形成される第２アームと、を備える（２）記載の車輪の歯止め装置。
【００２１】
（５）の発明による車輪の歯止め装置は、弾性変形可能な第２アームの基端部が車輪止めに固定され、この第２アームの先端部が取手部に繋留される円環体を設けている。そして、車輪止めと第２アームが一体で構成されている。したがって、車輪止めが着地するように、円環体を車輪の上方に位置する取手部に係止した後に、車輪止めを例えば足で移動して、車輪止めを車輪に設置できる。一方、円環体又は第２アームの先端部側を把持して、外方に引けば、車輪止めを車輪から取り外すことができる。
【００２２】
後述するように、（１）から（４）のいずれかの発明による歯止め装置と、（５）の発明による車輪の歯止め装置とを組み合わせて使用すれば、車両の意図しない前進及び後進が防止できて、より安全性が高まる。（１）から（４）のいずれかの発明による歯止め装置と、（５）の発明による車輪の歯止め装置とが着脱容易な別体で構成されているので、例えば、トランクへの収納が容易である。
【００２３】
（６）  前記第２アームの中間部は、前記車体に当接して容易に損傷しないように外面が柔軟に形成されている（５）記載の車輪の歯止め装置。
【００２４】
（７）  前記第２アームの中間部は、当該車輪を覆うフェンダーに当接しないように所定の曲率で湾曲している（５）又は（６）記載の車輪の歯止め装置。
【００２５】
（８）  （１）から４のいずれかに記載の歯止め装置、及び（５）から（７）のいずれかに記載の歯止め装置を用いて、車輪の両側を歯止めする車輪の歯止め方法。
【発明の効果】
【００２６】
本発明による車輪の歯止め装置は、立った姿勢で車輪止めを設置又は取り外しできるという効果がある。又、本発明による記載の車輪の歯止め装置は、すばやく車輪止めを設置又は取り外しできるという利点がある。更に、磁性体を有する係止部を設ける第１アームを備える車輪の歯止め装置と、係止部に繋留される円環体を設ける第２アームを備える車輪の歯止め装置とを組み合わせて車輪に設置すれば、車両の意図しない前進及び後進が防止できて、より安全性が高まる。
【発明を実施するための最良の形態】
【００２７】
以下、図面を参照して、本発明実施するための最良の形態を説明する。
【００２８】
図１は、本発明による車輪の歯止め装置の一実施形態を示す斜視外観図である。図２は、前記実施形態による車輪の歯止め装置の斜視分解組立図である。図３は、前記実施形態による車輪の歯止め装置の要部を拡大した斜視外観図である。
【００２９】
最初に、本発明による車輪の歯止め装置（以下、歯止め装置と略称する）の構成を説明する。図１において、歯止め装置１０は、第１歯止め装置１と第２歯止め装置２を備えている。第１歯止め装置１は、車体９に設けられた車輪９１を歯止めできる。第２歯止め装置２は、車体９に設けられた車輪９１を歯止めできる。
【００３０】
図１又は図２において、第１歯止め装置１は、台形体状の車輪止め１１と第１アーム１２を備えている。第２歯止め装置２は、台形体状の車輪止め２１と第２アーム２２を備えている。なお、車輪止め１１と車輪止め２１とは、同じものであるが説明の便宜上、異なる符号を付して区別した。以下の説明では、車輪止め１１を代表して、車輪止め２１の説明を割愛する場合がある。
【００３１】
図１又は図２において、車輪止め１１は、車輪９１の外周に当接する一対の傾斜面１１ａ・１１ａを両翼に設けている。第１アーム１２は、基端部が車輪止め１１の側面に固定されている。又、第１アーム１２は、車輪９１の上方に位置する車体９の外壁に係止する係止部１３を先端部に設けている。更に、第１アーム１２は、中間部が弾性変形可能な長尺の棒状に形成されている。係止部１３は、車体９の外壁に着脱する磁性体１３ａを有している。又、係止部１３は、磁性体１３ａと相反する向きに劣弧状に突出して、把持可能な取手部１３ｂを有している。
【００３２】
一方、図１又は図２において、車輪止め２１は、車輪９１の外周に当接する一対の傾斜面２１ａ・２１ａを両翼に設けている。第２アーム２２は、基端部が車輪止め２１の側面に固定されている。又、第２アーム２２は、取手部１３ｂに繋留される円環体２３を先端部に設けている。更に、第２アーム２２は、中間部が弾性変形可能な長尺の棒状に形成されている。
【００３３】
図１又は図２において、第１アーム１２の中間部、及び第２アーム２２の中間部は、黄色に着色された柔軟な合成樹脂テープと、黒色に着色された柔軟な合成樹脂テープとが交互に被覆されて、第１アーム１２又は第２アーム２２が車体に当接して容易に損傷しないように保護している。第１アーム１２、及び第２アーム２２を柔軟な合成樹脂で成形してもよい。
【００３４】
図１又は図２において、車輪止め１１・２１は木材からなり、第１アーム１２及び第２アーム２２は、合成樹脂製のパイプが成形されてもよい。第１アーム１２の中間部は、車体９に当接して容易に損傷しないように外面が柔軟に形成されている。同様に、第２アーム２２の中間部は、車体９に当接して容易に損傷しないように外面が柔軟に形成されている。
【００３５】
図１又は図２において、第１アーム１２の先端部は、略直角に屈折されており、車輪止め１１の側面に設けられた穴１１ｂに圧入されている。更に、第１アーム１２の先端部をビスなどの締結具３１で車輪止め１１の側面に固定する固定具３が設けられている。
【００３６】
同様に、図１又は図２において、第２アーム２２の先端部は、略直角に屈折されており、車輪止め２１の側面に設けられた穴２１ｂに圧入されている。更に、第２アーム２２の先端部をビスなどの締結具３１で車輪止め２１の側面に固定する固定具３が設けられている。
【００３７】
次に、本発明による歯止め装置の作用を説明する。図１に示されるように、第１歯止め装置１は、弾性変形可能な第１アーム１２の基端部が車輪止め１１に固定されている。又、第１アーム１２の先端部には、磁性体１３ａを有する係止部１３を設けている。そして、車輪止め１１と第１アーム１２が一体で構成されている。
【００３８】
したがって、図１において、車輪止め１１が着地するように、係止部１３を車輪９１の上方に位置する車体の外壁に係止した後に、車輪止め１１を例えば足で移動して、車輪止め１１を車輪９１に設置できる。ここで、第１アーム１２が弾性変形可能に構成されているので、車輪止め１１を容易に移動できる。一方、係止部１３又は第１アーム１２の先端部側を把持して、外方に引けば、車輪止め１１を車輪９１から取り外すことができる。
【００３９】
このように、第１歯止め装置１は、立った姿勢で車輪止め１１を設置又は取り外しできるという利点がある。第１歯止め装置１は、降雨などの悪天候のときの野外での設置作業又は取り外し作業において、すばやく車輪止め１１を設置又は取り外しできるという利点がある。
【００４０】
又、図１から図３に示されるように、係止部１３には、磁性体１３ａと相反する向きに劣弧状に突出して把持可能な取手部１３ｂを有しているので、車体９の外壁への着脱が容易である。特に、車体９の外壁からの離脱が容易である。
【００４１】
更に、図１において、第１歯止め装置１は、第１アーム１２の中間部が車輪９１を覆うフェンダー９２に当接しないように所定の曲率で湾曲しているので、第１アーム１２の中間部がフェンダー９２と接触することなく迂回して、車輪９１の近傍に車輪止め１１を設置できる。すばやく、車輪止め１１を車輪９１に設置することも可能である。
【００４２】
図１から図３において、第１アーム１２は、黄色と黒色を交互に着色した、いわゆるトラ模様に配色されている。このような、トラ模様は、例えば、鉄道の踏み切りにおける遮断ポールにも適用されており、注意を喚起する模様である。すなわち、車両に車輪止め１１が設置されて駐車していることが外部から歴然としてわかる。
【００４３】
一方、図１に示されるように、第２歯止め装置２は、弾性変形可能な第２アーム２２の基端部が車輪止め２１に固定されている。又、第２アーム２２の先端部には、取手部１３ｂに繋留される円環体２３を設けている（図３参照）。そして、車輪止め２１と第２アーム２２が一体で構成されている。
【００４４】
したがって、図１において、車輪止め２１が着地するように、円環体２３を車輪９１の上方に位置する取手部１３ｂに係止した後に、車輪止め２１を例えば足で移動して、車輪止め２１を車輪９１に設置できる。ここで、第２アーム２２が弾性変形可能に構成されているので、車輪止め２１を容易に移動できる。一方、円環体２３又は第２アーム２２の先端部側を把持して、外方に引けば、車輪止め２１を車輪９１から取り外すことができる。
【００４５】
このように、第２歯止め装置２は、立った姿勢で車輪止め２１を設置又は取り外しできるという利点がある。第２歯止め装置２は、降雨などの悪天候のときの野外での設置作業又は取り外し作業において、すばやく車輪止め２１を設置又は取り外しできるという利点がある。
【００４６】
又、図１から図３に示されるように、第２アーム２２の先端部には、取手部１３ｂに繋留される円環体２３を設けているので、取手部１３ｂへの着脱が容易である。言い換えれば、第２歯止め装置２は、車体９の外壁への着脱が容易である。
【００４７】
更に、図１において、第２歯止め装置２は、第２アーム２２の中間部が車輪９１を覆うフェンダー９２に当接しないように所定の曲率で湾曲しているので、第２アーム２２の中間部がフェンダー９２と接触することなく迂回して、車輪９１の近傍に車輪止め２１を設置できる。すばやく、車輪止め２１を車輪９１に設置することも可能である。
【００４８】
図１から図３において、第２アーム２２は、黄色と黒色を交互に着色した、いわゆるトラ模様に配色されている。このような、トラ模様は、例えば、鉄道の踏み切りにおける遮断ポールにも適用されており、注意を喚起する模様である。すなわち、車両に車輪止め１１が設置されて駐車していることが外部から歴然としてわかる。
【００４９】
図１に示されるように、本発明による歯止め装置１０は、第１歯止め装置１と第２歯止め装置２とを組み合わせて使用することが好ましく、車体９の意図しない前進及び後進が防止できて、より安全性が高まる。又、本発明による歯止め装置１０は、第１歯止め装置１と第２歯止め装置２とが着脱容易な別体で構成されているので、例えば、トランクへの収納が容易である。
【００５０】
図１に示された実施形態では、第１アーム１２を左方に配置し、第２アーム２２を右方に配置し、両者の先端部同士を連結して、歯止め装置１０をＶ字状に配置しているが、第１アーム１２を右方に配置し、第２アーム２２を左方に配置し、両者の先端部同士を連結して、歯止め装置１０をＶ字状に配置することもできる。一対の台形体状の車輪止め１１・２１には、車輪９１の外周に当接する傾斜面１１ａ・２１ａを両翼に設けているからである。
【００５１】
本発明による車輪の歯止め装置は、立った姿勢で車輪止めを設置又は取り外しできるので便利であり、前屈姿勢から解放される。ぬかるんだ地面で手が汚れることを防止できる。又、本発明による記載の車輪の歯止め装置は、すばやく車輪止めを設置又は取り外しできるという利点がある。更に、磁性体を有する係止部を設ける第１アームを備える車輪の歯止め装置と、係止部に繋留される円環体を設ける第２アームを備える車輪の歯止め装置とを組み合わせて車輪に設置すれば、車両の意図しない前進及び後進が防止できて、より安全性が高まる。
【図面の簡単な説明】
【００５２】
【図１】本発明による車輪の歯止め装置の一実施形態を示す斜視外観図である。
【図２】前記実施形態による車輪の歯止め装置の斜視分解組立図である。
【図３】前記実施形態による車輪の歯止め装置の要部を拡大した斜視外観図である。
【図４】従来の車輪止めの装着状態を示す斜視図である。
【符号の説明】
【００５３】
１  第１歯止め装置（車輪の歯止め装置）
２  第２歯止め装置（車輪の歯止め装置）
９  車体
１０  歯止め装置（車輪の歯止め装置）
１１・２１  車輪止め
１１ａ・２１ａ  傾斜面
１２  第１アーム
１３  係止部
１３ａ  磁性体
１３ｂ  取手部
２２  第２アーム
２３  円環体
９１  車輪
【図１】
2010052658.tif 000003
【図２】
2010052658.tif 000004
【図３】
2010052658.tif 000005
【図４】
2010052658.tif 000006